(57)【特許請求の範囲】
【請求項１】
内容物が収容される容器本体と、
前記容器本体の口部に破断可能な弱化部を介して連結され、内部が前記容器本体内に連通する中空の蓋体と、
前記蓋体に対して径方向外側に向けて突設された引上突片と、
を備えるブロー容器であって、
前記引上突片が、引き上げ時に指が挿通される挿通孔を有する環状に形成され、
前記引上突片のうち、少なくとも前記挿通孔に上方から連なる上側部分が、前記蓋体の内部に連通する中空に形成されると共に、前記上側部分のうち、前記蓋体との接続部分の上端縁部の周方向の幅が、他の部分よりも小さく形成されており、
前記引上突片のうち、前記上側部分より下方に位置する下側部分が、中実に形成されていることを特徴とするブロー容器。
【請求項２】
前記引上突片の前記上側部分のうち、前記上端縁部における前記蓋体との接続部分が、中実に形成されていることを特徴とする請求項１に記載のブロー容器。
【請求項３】
前記引上突片のうち前記蓋体との接続部分の下端縁部が、中実に形成されていることを特徴とする請求項１または２に記載のブロー容器。
【発明の詳細な説明】
【技術分野】
【０００１】
本発明は、ブロー容器に関する。
【背景技術】
【０００２】
従来から、詰め替え容器としても使用されるブロー容器として、内容物が収容される容器本体と、容器本体の口部に破断可能な弱化部を介して連結され、内部が容器本体内に連通する中空の蓋体と、蓋体に対して径方向外側に向けて突設された引上突片と、を備えるものが提案されている（例えば、特許文献１参照）。
ところで、このような詰め替え容器において、引上突片に引き上げ時に指を挿通する挿通孔が形成されたものが知られているが、この場合、挿通した指が、引き上げ時に挿通孔の開口周縁部に食い込む場合があった。
【先行技術文献】
【特許文献】
【０００３】
【特許文献１】特開２００４−５９１４１号公報
【発明の概要】
【発明が解決しようとする課題】
【０００４】
このような問題を解決するため、引上突片のうち挿通孔に上方から連なる上側部分を内部が蓋体に連通する中空に形成することが考えられるが、このような詰め替え容器では、引き上げ時における指の食い込みは緩和できるものの、引上突片の上端縁部における蓋体との接続部分が変形しやすくなるので、弱化部に力が伝わりにくくなって破断させにくくなるという問題がある。
【０００５】
本発明は、前述の課題に鑑みてなされたもので、引き上げ時の指への食い込みを抑制しつつ弱化部を確実に破断させることができるブロー容器を提供することを目的とする。
【課題を解決するための手段】
【０００６】
本発明は、上記のような課題を解決するために以下のような手段を採用した。すなわち、本発明のブロー容器は、内容物が収容される容器本体と、前記容器本体の口部に破断可能な弱化部を介して連結され、内部が前記容器本体内に連通する中空の蓋体と、前記蓋体に対して径方向外側に向けて突設された引上突片と、を備えるブロー容器であって、前記引上突片が、引き上げ時に指が挿通される挿通孔を有する環状に形成され、前記引上突片のうち、少なくとも前記挿通孔に上方から連なる上側部分が、前記蓋体の内部に連通する中空に形成されると共に、前記上側部分のうち、前記蓋体との接続部分の上端縁部の周方向の幅が、他の部分よりも小さく形成されており、前記引上突片のうち、前記上側部分より下方に位置する下側部分が、中実に形成されていることを特徴とする。
【０００７】
この発明では、引上突片を引き上げると、引き上げる力が引上突片のうち弱化部から上方に離間している蓋体との接続部分の上端縁部にかかるが、この上端縁部の周方向の幅が、他の部分よりも小さく形成されているので、この上端縁部の軸方向における剛性が高まると共に、上記接続部分（蓋体）にかかる軸方向の応力が分散され、上記接続部分が径方向内側に向けて潰れにくくなる。そのため、引上突片の回転の支点を弱化部から離れた上方に設けることができ、引き上げる力が弱化部に伝達しやすくなる。これにより、弱化部をより確実に破断できる。また、この中空部分により手指が接触する箇所の幅を広く形成できるため、引き上げ時の指への食い込みを緩和できる。したがって、引き上げ時の指への食い込みを抑制しつつ弱化部を確実に破断させることができる。
さらに、引上突片の上記中空部分が蓋体の内部に開口して連通しているので、引上突片の上記中空部分をブロー成形するための気体の通路と、容器本体及び蓋体をブロー成形するための気体の通路と、を別個に形成する必要がなく、ブロー容器を成形する金型の構成を簡略化することができる。
【０００８】
また、本発明のブロー容器では、前記引上突片の前記上側部分のうち、前記上端縁部における前記蓋体との接続部分が、中実に形成されてもよい。
この場合では、引上突片を引き上げたときに上記接続部分が潰れることをより抑制し、より確実に弱化部に力が伝達しやすくなる。
【０００９】
また、本発明のブロー容器では、前記引上突片のうち前記蓋体との接続部分の下端縁部が、中実に形成されてもよい。
この場合では、上記中空部分を挟んで上下両方に中実部分を形成することで、引上突片を引き上げたときに上記接続部分が潰れることをより確実に防止し、さらに確実に弱化部に力が伝達しやすくなる。
【発明の効果】
【００１０】
この発明にかかるブロー容器によれば、引上突片の引き上げ時に、上記接続部分（蓋体）が潰れにくくなり、引上突片の回転の支点を弱化部から離れた上方に設けることができるので、弱化部に力が伝達しやすくなり、弱化部がより確実に破断され、さらに、引き上げ時の指への食い込みを抑制できる。
【図面の簡単な説明】
【００１１】
【図１】本発明の一実施形態におけるブロー容器を示す側面図である。
【図２】図１の引上突片を示す拡大側面図である。
【図３】図２のＡ−Ａ矢視断面図である。
【図４】図１のブロー容器における弱化部の破断方法を説明する説明図である。
【図５】上端縁部の周方向の幅が他の部分よりも小さく形成されていないブロー容器における弱化部の破断方法を説明する説明図である。
【図６】図１のブロー容器の詰め替え方法を説明する説明図である。
【発明を実施するための形態】
【００１２】
以下、本発明におけるブロー容器の一実施形態を、図面に基づいて説明する。なお、以下の説明に用いる各図面では、各部材を認識可能な大きさとするために縮尺を適宜変更している。
【００１３】
本実施形態におけるブロー容器１は、例えば合成樹脂材料からなり、ブロー成形によって一体的に形成されている。そして、ブロー容器１は、図１に示すように、本容器３０（図６参照）に詰め替える内容物が収容される有底円筒状の容器本体２と、容器本体２の口部３に破断可能な弱化部４を介して連結された有頂円筒状の蓋体５と、蓋体５に突設された引上突片６と、を備えている。
ここで、容器本体２及び蓋体５は、それぞれの中心軸線を共通軸上に位置した状態で連設されている。以下、この共通軸を容器軸Ｏと称し、容器軸Ｏに沿って蓋体５側を上側、その反対側を下側と称する。また、容器軸Ｏに直交する方向を径方向と称し、容器軸Ｏ回りに周回する方向を周方向と称する。
【００１４】
容器本体２は、有底円筒状の胴部１１と、この胴部１１の上端部から肩部１２を介して上方に起立した口部３と、を備えている。肩部１２は、胴部１１の上端部から上方に向かうにしたがって漸次縮径している。口部３は、本容器３０の口部３１（図６参照）内に挿入可能な外径を有する円筒状をなしている。
弱化部４は、破断を容易にするために、口部３の上端部や蓋体５の下端部よりも径方向内側に窪ませることによって形成されている。なお、弱化部４を例えば容器本体２や蓋体５よりも薄肉とすることによって形成してもよい。
蓋体５は、弱化部４を介して口部３と一体的に形成されており、蓋体５の内部は、容器本体２の内部に連通している。また、蓋体５の上端部は、内容物の充填後に溶着などによってシールされたシール部１３とされている。
【００１５】
引上突片６は、図１及び図２に示すように、蓋体５の下端部から径方向外側に向けて突設されている。引上突片６は、環状をなしており、引上突片６の中央部には、指などを通す挿通孔６Ａが形成されている。
【００１６】
引上突片６のうち、挿通孔６Ａに対して上方から連なる上側部分２１が、蓋体５の下端部（側周壁）に接続されている。上側部分２１は、図３に示すように、中空に形成されており、この中空部分は、蓋体５の内部に連通している。上記中空部分は、引上突片６の引き上げ操作を行う際に少なくとも挿通孔６Ａに挿入された指先が接触する範囲に形成することが好ましい。また、上側部分２１のうち蓋体５との接続部分の上端縁部２１Ａは、中実に形成されており、径方向に沿って延在する板状をなしている。ここで、上側部分２１のうち上端縁部２１Ａの周方向における幅は、上側部分２１の他の部分（中空部分）よりも小さくなっている。
【００１７】
また、引上突片６のうち、上側部分２１より下方に位置する下側部分２２は、中実に形成されており、上側部分２１と下側部分２２とは連結部分２３によって接続されている。
下側部分２２の上端縁部のうち、挿通孔６Ａに対して径方向内側から連なる部分並びに、連結部分２３のうち、挿通孔６Ａに対して径方向内側から連なる部分（引上突片６のうち蓋体５との接続部分の下端縁部）は、蓋体５の下端部に接続されている。これにより、引上突片６の上側部分２１の上記中空部分における上下両方には、中実部分が形成されることになる。具体的には、引上突片６のうち、上側部分２１における上記中空部分の周方向の幅を４ｍｍ、中実に形成された上端縁部２１Ａの周方向の幅（厚み）を２ｍｍとし、下側部分２２の周方向の幅（厚み）を２ｍｍとしている。さらに、引上突片６のうち、蓋体５に接続される部分の軸方向長さは、上端縁部２１Ａが２．３ｍｍ、上記中空部分が３ｍｍ、上記中空部分と下側部分２２との連結部分２３が１ｍｍ、下側部分２２が１ｍｍ、の合計７．３ｍｍとなっている。
【００１８】
下側部分２２における径方向内端縁のうち、蓋体５の下端部に接続される上端縁部よりも下方に位置する部分は、口部３の外周面に沿って上下方向に延在している。
連結部分２３の周方向の幅は、上側部分２１から下側部分２２に向けて漸次小さくなるように形成されている。
【００１９】
次に、以上のような構成のブロー容器１の開封方法及び内容物の詰め替え方法について説明する。
まず、ブロー容器１を正立姿勢にした状態で、図４に示すように、引上突片６の挿通孔６Ａに指をかけて引上突片６を引き上げる。引上突片６を引き上げようとすると、引き上げる力が引上突片６と蓋体５との接続部分のうち弱化部４から上方に離間する部分、すなわち上端縁部２１Ａにかかる。ここで、上側部分２１のうち上端縁部２１Ａの周方向における幅が他の部分よりも小さいので、この上端縁部２１Ａの軸方向おける剛性が高まると共に、この引上突片６と蓋部５との接続部分にかかる軸方向の応力が分散され、引き上げる力が上端縁部２１Ａにかかっても上記接続部分が径方向内側に陥没変形しにくくなる。
【００２０】
また、上側部分２１の上記中空部分を挟む上下両方には、上述のように中実部分が形成されている。そのため、上記接続部分がより潰れにくくなる。
これにより、引き上げる力は、上端縁部２１Ａに十分にかかり、引き上げる力がかかる支点は、弱化部４から上方に十分離間した位置になる。そのため、引き上げる力が弱化部４に対して良好に伝達され、弱化部４が破断される。
【００２１】
一方、例えば図５に示すように、引上突片４０における上側部分４１の上端縁部の周方向における幅を他の部分よりも小さく形成しない場合でも、上述のように、引き上げる力が、上側部分４１の上端縁部にかかる。この場合、上記上端縁部の軸方向における剛性が低く、引上突片４０と蓋体５との接続部分にかかる軸方向の応力が分散されないので、この応力が周方向にも影響して、引き上げる力によって上側部分４１と蓋体５との接続部分が径方向内側に向けて潰れやすくなる。このように上記接続部分が潰れると、引き上げる力がかかる支点は、本実施形態のように上端縁部２１Ａを中実に形成する場合と比較して下方に位置する。このため、上記支点と弱化部４との距離が近くなり、引き上げる力が弱化部４に対して良好に伝達されない。したがって、弱化部４を容易に破断することができない。
【００２２】
このように弱化部４を破断した後、本容器３０を倒立姿勢にした状態で、正立姿勢とされたブロー容器１の口部３を本容器３０の口部３１内に挿入させる。そして、図６に示すように、組み合わせたブロー容器１及び本容器３０を上下反転させ、本容器３０を正立姿勢にすると共にブロー容器１を倒立姿勢にする。これにより、ブロー容器１内の内容物が口部３、３１の内部を流通して本容器３０内に注出することができ、内容物をブロー容器１から本容器３０に詰め替えることができる。
なお、ブロー容器１及び本容器３０を組み合わせた後に上下反転させることによって内容物を詰め替えているが、正立姿勢とされた本容器３０に対してブロー容器１を傾けることによって内容物を詰め替えてもよい。
【００２３】
以上のような構成のブロー容器１によれば、上側部分２１のうち上端縁部２１Ａの周方向における幅を他の部分（中空部分）よりも小さくすることで、引上突片６と蓋部５との接続部分にかかる力が分散され、引上突片６と蓋体５との接続部分が径方向内側に向けて潰れにくくなる。これにより、引上突片６の回転の支点が弱化部４から離れた上方に位置して、引き上げる力を弱化部４に良好に伝達することができる。したがって、引き上げ時の指への食い込みを緩和しつつ弱化部４を確実に破断させることができる。
また、上記中空部分を挟んで上下両方に中実部分を形成することで、上記接続部分がより潰れにくくなる。これにより、弱化部４をさらに確実に破断させることができる。
さらに、上側部分２１の上記中空部分が蓋体５の内部に連通しており、引上突片６の上記中空部分をブロー成形するための気体の通路を容器本体２及び蓋体５をブロー成形するための気体の通路とは別個に形成する必要がないので、ブロー容器１を成形する金型の構成を簡略化できる。
【００２４】
なお、本発明は上記実施形態に限定されるものではなく、本発明の趣旨を逸脱しない範囲において種々の変更を加えることができる。
例えば、引上突片のうち蓋体との接続部分の上端縁部及び下端縁部を中実に形成しているが、引き上げ時に上側部分の上記中空部分が潰れることを防止できれば、いずれか一方のみを中実に形成してもよく、両方を中実に形成しなくてもよい。
引上突片のうち上側部分のみに中空部分を形成しているが、引き上げ時に指が引上突片に食い込むことを防止できれば、上側部分に加えて他の部分に形成されてもよい。
引上突片は、挿通孔が形成された環状をなしているが、上記中空部分によって引き上げ時の指の食い込みを抑制する構造となっていれば、必ずしも完全な円環をなしている必要はなく、側面視でＣ字状など、他の形状であってもよい。
引上突片は、蓋体に対して１つのみ形成されているが、複数形成されてもよい。
ブロー容器は、本容器に詰め替える内容物を収容する詰め替え容器としてだけでなく、蓋体を取り外した後に本容器としてそのまま使用されてもよい。
口部、胴部及び肩部などの形状は、上記実施形態に限定されない。
【産業上の利用可能性】
【００２５】
この発明によれば、引き上げ時の指への食い込みを抑制しつつ弱化部を確実に破断させることができる詰め替え容器に関して、産業上の利用可能性が認められる。
【符号の説明】
【００２６】
１  ブロー容器、２  容器本体、３  口部、４  弱化部、５  蓋体、６  引上突片、６Ａ  挿通孔、２１  上側部分、２１Ａ  上端縁部
【図１】
0005806881.tif 000002
【図２】
0005806881.tif 000003
【図３】
0005806881.tif 000004
【図４】
0005806881.tif 000005
【図５】
0005806881.tif 000006
【図６】
0005806881.tif 000007